(57)【特許請求の範囲】
【請求項１】
乳幼児の身体の腹側が直接的または背側が直接的、間接的にあてがわれる本体部と、
前記本体部の縦抱き状態における下部と略逆Ｔ字状に一体化し、前記略逆Ｔ字状の長さ方向の端部に配設した腰ベルト連結具によって連結自在とし、使用者の腰回りに配設自在な腰ベルト部と、
前記腰ベルト部の縦抱き状態における下部に配設した肩ベルト連結具と、
前記肩ベルト連結具並びに腰ベルト連結具を格納自在な格納部と、
前記本体部の上部に一端が固着され、使用者側の肩または首の背後に回して他端を前記肩ベルト連結具と接続自在な一対の肩ベルト部と、
前記本体部に重ね合わせて乳幼児の重心位置を保持する幼児用連結具及び前記一対の肩ベルト部に取り付け、取り外し自在であり、かつ、乳幼児の身体の背側があてがわれる内部に剛性のある芯材を収容し、前記芯材の表面をクッション性に富む材料で覆うと共に、その下端を折曲自在とした横抱き用補助具と
を具備することを特徴とするベビーキャリア。
【発明の詳細な説明】
【技術分野】
【０００１】
本発明は、乳幼児または幼児を「横抱き」、「縦抱き」または「おんぶ」という３つの態様によって運搬するベビーキャリア(子守帯)に関するもので、特に、横抱き、前後の縦抱き等が自在に切り替えて行うことができるベビーキャリアに関するものである。
【背景技術】
【０００２】
従来の幼児を縦抱き状態で保持することができるベビーキャリアは、例えば、幼児を保持する子守帯本体と、この子守帯本体を使用者が肩に吊り下げて装着する肩帯とを備えている。特に、首がすわっていない幼児を対象とした子守帯においては、幼児の背面を比較的高い剛性で保持する必要があるため、子守帯本体に硬質ボードの如き剛性部材を用いてその剛性を高めていた。一方、首がすわってからの幼児を対象とした子守帯においては、幼児の背面を高い剛性で保持する必要がないため、子守帯本体には硬質ボードを用いずに、柔軟な布体のみにて構成していた。
【０００３】
特許文献１は、幼児を保持するためのベビーキャリア（１）の基本構成は、使用者（例えば、幼児の親）が装着する縦抱き用シート(１０)と、この縦抱き用シート(１０)に着脱自在に装着される横抱き用シート(５０)とを備えている。なお、特許文献で示す(  )内の数字は、特許文献１、特許文献２で使用されている図面の部品番号を示すものである。
ここで、ベビーキャリア(１)を用いて幼児を保持する際の態様について説明する。この態様としては、「横抱き」、「縦抱き」または「おんぶ」の３つの態様があり、更に、「縦抱き」には「前抱き」と「対面抱き」があり、「おんぶ」には「通常のおんぶ」と「クロスおんぶ」とがあり、総計で５つの態様がある。そして、使用者は自己のニーズに応じてこれら５つの態様のうちから１つの態様を選択し、幼児を運搬するものである。
【０００４】
また、特許文献２のベビーキャリア(１１)は、幼児(１１０)を寝かせた状態で支持するための支持具(２)と、その支持具(２)の前端部(２ａ)及び後端部(２ｂ)を吊り下げ支持する肩ベルト(３)とを備え、支持具(２)には幼児(１１０)を寝かせるためのマット部(４)が設けられ、そのマット部(４)内には幼児(１１０)の支持荷重に抗してマット部(４)の形状を保持するための芯材として背板(１８)が設けられたベビーキャリア(１１)において、背板(１８)の外周の少なくとも一部には当該背板(１８)の中心側の板厚よりも厚さが増した玉縁(１８ｃ)を設け、背板(１８)が使用者に当たったときの感覚を和らげることが可能なベビーキャリアを開示している。
【先行技術文献】
【特許文献】
【０００５】
【特許文献１】特開２００７−２６８０７３
【特許文献２】特開２００５−２３０１０７
【発明の概要】
【発明が解決しようとする課題】
【０００６】
このように、特許文献１は、首がすわっていない乳幼児を対象としても、容易かつ確実に携行でき、利用者の利便性を高めた子守帯が開示されている。しかし、抱かれている幼児の体形の安定性については追及するものがない。
また、特許文献２については、背板の少なくとも一部の外周に拡大部を設けることにより、使用者に背板が当たったときの背板の食い込みを抑えて接触時の感覚を和らげることができ、これにより、例えば、授乳姿勢のように支持具と使用者とが密着するような姿勢を取っても使用者が不快感を感じることなく長時間その姿勢を続けられるという作用効果を奏するものの、ベビーキャリアに抱かれている幼児体形の安全性については追及するものがない。特に、従来の首がすわっていない乳幼児を対象とした子守帯の横抱きの体形と、首がすわってからの乳幼児を対象とした子守帯の縦抱きの体形が、当該子守帯の使用者に過大な負担が加わることなく、かつ、乳幼児側にも体形に負担の少ない子守帯という概念は存在していない。また、横抱きの体形では乳幼児の足が子守帯から出ているので、当該子守帯の使用者の不注意で建造物等に当ててしまう可能性がある。
【０００７】
そこで、本発明は、首がすわっていない乳幼児を対象とした横抱きの体形と、首がすわってからの乳幼児を対象とした縦抱きの体形共に、使用者に過大な負担が加わることなく、かつ、乳幼児側の体形にも負担が少なく、横抱きの際には乳幼児の足を保護できるベビーキャリアの提供を課題とするものである。
【課題を解決するための手段】
【０００８】
請求項１の発明にかかるベビーキャリアは、乳幼児の身体の腹側が直接的または背側が直接的、間接的にあてがわれる本体部、その本体部の縦抱き状態の下部と略逆Ｔ字状に一体化し、その水平の長さ方向の端部に配設した腰ベルト連結具によって連結自在とし、使用者の腰回りに配設する腰ベルト部、その腰ベルト部の前記本体部側の反対側の縦抱き状態の最下端付近の２カ所に配設した肩ベルト連結具、その肩ベルト連結具並びに使用者の腰回り方向の端部に配設された腰ベルト連結具を格納する格納部と、前記本体部の上部に一端が固着され、使用者側の肩または首の背後に回して他端を縦抱き状態の最下端付近の２カ所に配設した肩ベルト連結具で接続自在な一対の肩ベルト部と、前記本体部に重ね合わせて取り付け、取り外しが自在であり、かつ、乳幼児の身体の背側があてがわれる内部に剛性の高い硬質ボード等の芯材を収容し、前記芯材の表面をクッション性に富む材料で覆うと共に、その下端を折曲自在とした横抱き用補助具とを具備するものである。
【０００９】
ここで、上記本体部は、乳幼児の縦抱きの場合、腹側が直接的、または縦抱きの場合、背側が直接的、及び横抱きの場合、横抱き用補助具を介して背側が間接的にあてがわれるものである。
また、上記腰ベルト部は、使用者の腰回りに配設するもので、前記本体部の下部（縦抱き状態の下部）と略逆Ｔ字状に一体化し、その水平方向の長さ方向の端部は腰ベルト連結具によって互いに連結自在としている。また、腰ベルト連結具、肩ベルト連結具とは、ナスカン、カラビナ、Ｄロック、クイックキャッチ、楕円リング等の連結具、バックルの連結差込具と連結受具の対が使用できる。
そして、前記腰ベルト部の縦抱き状態の最下端付近の２カ所に配設した肩ベルト連結具は、連結自在な手段であればよく、できれば、連結及びその解除が容易に操作できるものであることが好ましい。
【００１０】
更に、上記一対の肩ベルト部は、前記本体部の上部に一端が固着され、横抱きの場合には、使用者側の肩または首の背後に回して他端を縦抱き状態の最下端付近の２カ所に配設した肩ベルト連結具と接続自在なものである。また、縦抱きの場合には、前記本体部の側部または腰ベルト部に直接接続または間接接続できるものであればよい。ここで、間接接続とは、前記本体部の側部または腰ベルト部を支点として通過し、そこに負荷を加えているが、接続を行っていない箇所を意味する。
更にまた、上記横抱き用補助具は、前記本体部に重ね合わせて取り付け、取り外しが自在であり、かつ、乳幼児の身体の背側があてがわれる内部に剛性の比較的高い硬質ボード等の芯材を収容し、前記芯材の表面をクッション性に富む材料で覆うと共に、その下端を折曲自在とし、腰ベルト部の動きに追随させたものである。
【発明の効果】
【００１１】
請求項１のベビーキャリアは、縦抱きするときには、本体部に重ね合わせて取り付けられている横抱き用補助具を外し、本体部に乳幼児の身体の腹側または背側が直接的にあてがわれるように寝かせる。腰ベルト部の縦抱き状態の最下端付近の２カ所に配設した肩ベルト連結具と、一対の肩ベルト部の使用者側の肩または首の背後に回して他端を縦抱き状態の最下端付近の２カ所に配設した肩ベルト連結具とを接続する。また、前記本体部の下部と一体化した腰ベルト部を使用者の腰回りに腰ベルト連結具を用いて連結し、使用者の腰回りに取り付ける。そして、一対の肩ベルト部に手を通して乳幼児を縦抱きする。
【００１２】
更に、横抱きするときには、本体部に横抱き用補助具を重ね合わせて取り付け、そこに乳幼児の身体の背側があてがわれるようにする。また、その下端を折曲自在とし、乳幼児の足が本体部から突出しないように寝かせる。即ち、本体部に乳幼児の身体の背側が間接的にあてがわれるようにする。この横抱きには、腰ベルト部に設けた格納部は、使用者の腰回り方向の端部に配設された連結具を格納する。
そして、前記本体部の最下端付近の２カ所に配設した連結具と、一対の肩ベルト部の使用者側の肩または首の背後に回して他端を最下端付近の２カ所に配設した肩ベルト連結具と接続する。この状態で、一対の肩ベルト部に首を通して乳幼児を横抱きする。
なお、前記本体部の最下端付近の２カ所に配設した連結具は、一対の肩ベルト部の端部を入れ替えれば、肩ベルトがクロスになったり、並行になったりする。したがって、一対の肩ベルト部の長さを個別に調整でき、使用者に合った使い方が容易である。
【００１３】
このようにすることにより、横抱き用補助具の下端を折曲自在とし、しかも、前記腰ベルト部の前記本体部の最下端付近の２カ所に配設した肩ベルト連結具は、前記本体部側の最下端付近の２カ所に配設した肩ベルト連結具が一対の肩ベルト部によって上に引き上げられ、内部に配設された横抱き用補助具の下端が折曲自在となっているから、同時に横抱き用補助具の下端が前記腰ベルト部と同様、上方向に引き上げられるからそれが乳幼児の足の保護となる。
したがって、乳幼児の足が横抱きしていてもベビーキャリアから露出することがなく、足を保護できる。よって、首がすわっていない乳幼児を対象としたベビーキャリアの横抱きの体形と、首がすわってからの乳幼児を対象としたベビーキャリアの縦抱きの体形共に、当該ベビーキャリアの使用者に過大な負担が加わることなく、かつ、乳幼児側の体形にも負担が少なく、横抱きの際には乳幼児の足を保護できる。
【図面の簡単な説明】
【００１４】
【図１】図１は本発明の実施の形態１のベビーキャリアの乳幼児を抱く面側から見た平面図である。
【図２】図２は本発明の実施の形態１のベビーキャリアの乳幼児を抱く面の反対側から見た平面図である。
【図３】図３は本発明の実施の形態１のベビーキャリアの乳幼児を横抱きする横抱き用補助具を本体部に重ねた平面図である。
【図４】図４は本発明の実施の形態１のベビーキャリアの乳幼児を横抱きする横抱き用補助具の裏面側から見た平面図である。
【図５】図５は本発明の実施の形態１のベビーキャリアの乳幼児を横抱きする横抱き用補助具を取付ける直前の要部平面図である。
【図６】図６は本発明の実施の形態１のベビーキャリアの乳幼児を横抱きする方向から見た斜視図である。
【図７】図７は本発明の実施の形態１のベビーキャリアの格納部の要部斜視図である。
【図８】図８は本発明の実施の形態２のベビーキャリアの乳幼児を抱く面側から見た要部斜視図である。
【図９】図９は本発明の実施の形態１、２のベビーキャリアの乳幼児を横抱きする状態の斜視図である。
【図１０】図１０は本発明の実施の形態１、２のベビーキャリアの乳幼児を縦抱きする状態の斜視図である。
【発明を実施するための形態】
【００１５】
以下、本発明の実施の形態について、図面に基づいて説明する。なお、実施の形態において、図示の同一記号及び同一符号は、同一または相当する機能部分であるから、ここではその重複する説明を省略する。
【００１６】
［実施の形態１］
まず、図１乃至図７、図９及び図１０に示すように、本発明の実施の形態１の本体部１０は、縦抱きのとき乳幼児Ｍの身体の腹側または背部が直接あてがわれる部分で、所定の柔軟性を持ち、かつ、乳幼児Ｍの体形に無理が加わらないように若干の弾性を有する芯材を入れて形成されている。全体が略長方形状となっている。
本体部１０の下部、即ち、縦抱き状態の下部、即ち、図の手前側には略逆Ｔ字状に一体化した腰ベルト部２０が配設されている。腰ベルト部２０のベルト長方向の端部に配設した連結具としての連結差込具２１と連結受具２２によって両者が連結自在とし、使用者Ｍの腰回りに配設自在となっている。なお、連結具としての連結差込具２１及び連結受具２２は本実施の形態の腰ベルト連結具を構成する。
なお、以下、実施の形態において最下端付近、下部とは、縦抱き状態の位置の最下端またはその５ｃｍ以内の近傍、下部またはその５ｃｍ以内の下部近傍を示すものとする。
【００１７】
本体部１０と腰ベルト部２０とは、縫製によって縫い合わされており、両者間は、本体部１０の面方向に対して直角方向に折れ曲がり自在となっている。また、腰ベルト部２０も本体部１０と同様、所定の柔軟性を持ち、かつ、使用者Ｍの腰回りに配設しても使用者Ｍの体形に無理が加わらないように若干の弾性を持つ芯材を入れて形成されている。また、その幅も、１０〜２０ｃｍ程度の幅として、乳幼児Ｍの体重が加わったときでも、使用者Ｍの腰回りに加わる力に集中が生じないようにしている。
【００１８】
腰ベルト連結具としての連結差込具２１と連結受具２２は、一対のバックルから構成されており、本発明を実施する場合には、ナスカン、カラビナ、スプリングホック、Ｄロック、クイックキャッチ、楕円リング等の連結具が使用可能であり、何れを選択してもよいが、簡単に連結可能であり、安全性も高い。そして、腰ベルト連結具としてのバックルの連結差込具２１と連結受具２２は、何れを連結差込具２１側または連結受具２２側としてもよい。
本実施の形態の腰ベルト連結具としての連結差込具２１と連結受具２２は、必要ベルト長が決められるように、一方または両方に所定長のベルト２３を配設し、腰ベルト部２０の長さを決定している。この所定長のベルト２３は使用者Ｍの腰の周囲の長さに合わせるものであり、腰ベルト部２０の中央で調整することもできるから、必ずしも必要とするものではない。
【００１９】
腰ベルト部２０の本体部１０側の反対側の縦抱き状態の最下端またはその付近の２カ所には連結受具２４ａ，２４ｂからなる連結具、即ち、肩ベルト連結具の一方が配設されている。連結受具２４ａ，２４ｂは雌雄逆の連結差込具とすることもできる。連結受具２４ａ，２４ｂは腰ベルト部２０の面に縫製された連結ベルト２５ａ，２５ｂによって、腰ベルト部２０の上下幅の厚みの下端より突出している。したがって、連結ベルト２５ａ，２５ｂの腰ベルト部２０の厚みの下端から突出している部分が自由端となっている。なお、図示では、連結ベルト２５ａ，２５ｂが腰ベルト部２０から露出しているが、本発明を実施する場合には、腰ベルト部２０の内部を通して腰ベルト部２０の厚みの下端から突出するように構成してもよく、この構造の方が見栄えが良くなる。
【００２０】
連結ベルト２５ａ，２５ｂと腰ベルト部２０との位置関係は、連結ベルト２５ａ，２５ｂの取付けが腰ベルト部２０の縦抱き状態の最下端部（最下端部付近）となっている。この最下端部への取付けは、連結ベルト２５ａ，２５ｂに対して本体部１０の平面に対して直角方向の力が加わったとき、腰ベルト部２０も本体部１０の平面に対して直角方向の変位を行うようにしている。したがって、連結受具２４ａ，２４ｂは腰ベルト部２０の縦抱き状態の最下端部に取り付けるか、そこを支点として延びているかが必要となる。
【００２１】
また、腰ベルト部２０の使用者Ｍの腰に取り付けた状態の位置、即ち、使用状態の表側に図７に示す格納部３０が設けられている。この格納部３０は腰ベルト部２０の本体部１０側の反対側の最下端付近の２カ所に配設した連結受具２４ａ，２４ｂ並びに使用者Ｍの腰回り方向の端部に配設された連結差込具２１及び連結受具２２の連結具が格納自在となっている。即ち、格納部３０は腰ベルト部２０の長さ方向の両端が開口し、腰ベルト連結具としての連結差込具２１と連結受具２２が途中で折り返して、ほぼ本体部１０の幅を残して格納されるような大きさに設定されている。また、格納部３０は弾性体で形成されていて、収容体積を可変とし、かつ、収容物が容易に離脱しないようになっている。
【００２２】
そして、格納部３０には、腰ベルト部２０から突出している連結ベルト２５ａ，２５ｂ及び連結受具２４ａ，２４ｂも、腰ベルト部２０の縦抱き状態の最下端付近に設けた開口から収納自在としている。
即ち、格納部３０は、連結具としての連結差込具２１と連結受具２２及び所定長のベルト２３及び腰ベルト部２０の両側の一部以上を格納すると共に、連結受具２４ａ，２４ｂ及び腰ベルト部２０から突出している少なくとも連結ベルト２５ａ，２５ｂの一部以上の格納を行う。特に、このとき、格納部３０を弾性体で形成してあると、収容物が容易に離脱しないようになる。勿論、格納部３０は蓋付のポケット状として形成し、ファスナー等で開閉自在としてもよい。
【００２３】
本体部１０の上方には、一対の肩ベルト部４０が設けられている。一対の肩ベルト部４０は、肩掛け部４１ａ，４１ｂと延長ベルト部４２ａ，４２ｂとその端部付近に配設した連結具としての連結差込具４３ａ，４３ｂが配設されている。肩掛け部４１ａ，４１ｂは所定の柔軟性を持つ材料で形成されている。即ち、通常は、延長ベルト部４２ａ，４２ｂを芯とし、その周囲に柔軟性に富む緩衝材が設けられている。肩掛け部４１ａ，４１ｂはこの緩衝材によって肩または首の背後の一部分に乳幼児Ｍの体重が加わらないようにしている。
【００２４】
延長ベルト部４２ａ，４２ｂの端部には、腰ベルト部２０に配設した連結受具２４ａ，２４ｂと係合する連結具である連結差込具４３ａ，４３ｂが配設されている。延長ベルト部４２ａの端部の連結差込具４３ａは、腰ベルト部２０に配設した連結受具２４ａと係合し、また、延長ベルト部４２ｂの端部の連結差込具４３ｂは、腰ベルト部２０に配設した連結受具２４ｂと係合する。ここで、腰ベルト部２０に配設した連結受具２４ａ，２４ｂと肩ベルト部４０の連結差込具４３ａ，４３ｂは、本実施の形態の肩ベルト連結具を構成している。
なお、この係合に限定されることなく、延長ベルト部４２ａの端部の連結差込具４３ａは、腰ベルト部２０に配設した連結受具２４ｂと係合し、そして、延長ベルト部４２ｂの端部の連結差込具４３ｂは、腰ベルト部２０に配設した連結受具２４ａと係合し、一対の肩ベルト部４０をクロスさせることもできる。
【００２５】
一対の肩ベルト部４０には、その相互間の幅を拡大させないようにする補助ベルト５０が配設されている。補助ベルト５０は肩ベルト部４０の肩掛け部４１ａに配設されたベルトに対して一方の先端に連結差込具５２ａを配設し、また、肩ベルト部４０の肩掛け部４１ｂに配設されたベルトに対して他方の先端に連結受具５２ｂを配設している。
したがって、補助ベルト５０の連結差込具５２ａと連結受具５２ｂを係合状態としておけば、一対の肩ベルト部４０の間隔が固定され、これにより、肩掛け部４１ａと肩掛け部４１ｂとの間が所定の距離を保つことができる。よって、使用状態で、肩掛け部４１ａと肩掛け部４１ｂとの一方のみまたは両方が肩から外れるという事態が発生しない。
【００２６】
また、本体部１０には、一対の肩ベルト部４０の取付け部よりも下で、一対の肩ベルト部４０の縦抱き状態の高さ方向の略１／２の位置に、連結具である山高Ｄカン６１ａ，６１ｂが突出して配設されている。山高Ｄカン６１ａ，６１ｂはベルト６２ａ，６２ｂによって、本体部１０に堅固に取り付けられており、一対の肩ベルト部４０の延長ベルト部４２ａ，４２ｂ及び一方の肩ベルト連結具である連結差込具４３ａ，４３ｂがそれを通過し、折り返して、連結差込具４３ａ，４３ｂが一対の肩ベルト部４０の肩掛け部４１ａ，４１ｂの延長ベルト部４２ａ，４２ｂ側にある取付ベルト４４ａ，４４ｂを介して取り付けられた他方の肩ベルト連結具としての連結受具４５ａ，４５ｂと係合自在となっている。山高Ｄカン６１ａ，６１ｂとベルト６２ａ，６２ｂは、本実施の形態の環状支持部６０を構成している。この環状支持部６０は、Ｕターンして折り返しができるものであればよい。勿論、Ｕターンするように取り付けても、そこが力の作用点になることから、ナスカン、カラビナ、Ｄロック、クイックキャッチ、楕円リング等の連結具、バックルの連結差込具と連結受具の対に置き換えることも可能である。
【００２７】
肩掛け部４１ａ，４１ｂから延びている延長ベルト部４２ａ，４２ｂ及び肩ベルト連結具としての連結差込具４３ａ，４３ｂが山高Ｄカン６１ａ，６１ｂを通過し、折り返して、連結差込具４３ａ，４３ｂが一対の肩ベルト部４０の肩掛け部４１ａ，４１ｂの延長ベルト部４２ａ，４２ｂ側にある他方の肩ベルト連結具としての連結受具４５ａ，４５ｂと係合することにより、乳幼児Ｍの縦抱きの際、使用者Ｍ側の肩または首の背後に回す一対の肩ベルト部４０として機能する。勿論一対の肩ベルト部４０をクロスさせることもできる。
本実施の形態では、山高Ｄカン６１ａ，６１ｂを延長ベルト部４２ａ，４２ｂ及びその連結差込具４３ａ，４３ｂが通過し、山高Ｄカン６１ａ，６１ｂの取付け部を支点としているが、本発明を実施する場合には、山高Ｄカン６１ａ，６１ｂを連結受具４５ａ，４５ｂとしてもよい。しかし、本実施の形態のように構成すると、縦抱きと横抱きの長さが大きく変化しないから、乳幼児Ｍの年齢によっては、使い勝手が良くなる。
【００２８】
また、横抱き用補助具７０は、乳幼児Ｍの身体の多く、即ち、頭部及び背部及び臀部を受ける基部７５、基部７５の縦抱き状態の下側に位置し、基部７５に対して直角な位置状態に変位可能な折曲端部７４を有している。
基部７５には、横抱きのとき乳幼児Ｍの身体の背部が直接あてがわれる部分であり、乳幼児Ｍの体形に無理が加わらないように、また、保護を行うように本体部１０よりも強い芯材を入れて形成され、その表面は所定の柔軟性を持たせて肌触り感を良くしている。基部７５には芯材が入っているが、折曲端部７４には芯材が入っていても連続していないものが入っているか、或いは、芯材が入っていないものである。したがって、折曲端部７４は基部７５から折曲自在となっている。
【００２９】
図３乃至図６のように、横抱き用補助具７０はその基部７５が乳幼児Ｍの身体がその側部に移動し難いように湾曲させて形成されている。また、芯材が入っている基部７５と折曲端部７４とは、連続に形成されているが、折曲端部７４が基部７５の面に対して直角に起立できるように、基部７５の底面の湾曲と同様な湾曲によって基部７５と折曲端部７４との間が区別されている。
また、折曲端部７４には金属スナップボタン７４ａ，７４ｂが配設されていて、腰ベルト部２０に取り付けられた金属スナップボタン２８ａ，２８ｂが接続または解除自在になっている。
【００３０】
また、基部７５の上部には、一対の肩ベルト部４０の肩掛け部４１ａ，４１ｂに取り付ける概略Ｔ字状となった取付保持部材７７ａ，７７ｂが配設されている。取付保持部材７７ａ，７７ｂの自由端の両端には、その対向する表裏に接着布７８ａ，７８ｂが縫い付けられていて、一対の肩ベルト部４０の肩掛け部４１ａ，４１ｂに巻き付けることにより、肩掛け部４１ａ，４１ｂに横抱き用補助具７０の上部が取り付け、取り外し自在となっている。
【００３１】
そして、基部７５は乳幼児Ｍの臀部が位置する個所は、若干の臀部の落ち込みが自在なように窪みが形成されている。本体部１０には、横抱き用補助具７０及び乳幼児保持用の固定ベルト１２ａ,１２ｂが形成されており、その固定ベルト１２ａ,１２ｂの先端には、連結具、即ち、幼児用連結具としての連結差込具１３ａと連結受具１３ｂが配設されている。また、基部７５と折曲端部７４との間にはバイアス部７３ａ，７３ｂが形成されており、乳幼児Ｍの脚部分を軽く保持するように所定の幅で斜めに２本の帯が形成されている。
【００３２】
更に、基部７５の上部には、乳幼児Ｍの頭部が位置する周囲に、円弧状のフード７１が配設されている。円弧状のフード７１は基部７５に対して略直角に起立している。特に、乳幼児Ｍの頭部は本体部１０の平面からの高さが高い形状で、乳幼児Ｍの側部になるに従って低い位置までの高さとなっている。これによって、乳幼児Ｍの耳に入る音を極端に低下させることによって、不安感を抱くようなことをなくすようにしている。
また、乳幼児Ｍの頭部の頂上に外力が加わらないように、所定の厚みでクッション性を持たせ、かつ、芯によって外力が直接乳幼児Ｍに加わらないようにしている。
【００３３】
横抱き用補助具７０は、本体部１０に重ね合わせて図示しない金属スナップボタン、スプリングホック、接着布、接続具等によって取り付け、取り外しが自在に構成されている。また、乳幼児Ｍの身体の背側があてがわれる内部に剛性の高い芯材としての硬質ボードを収容し、前記硬質ボードの表面をクッション性に富む材料で覆うと共に、その下端の折曲端部７４を折曲自在としている。
基部７５と折曲端部７４との関係は、基部７５が中央が沈むように湾曲させているから、基部７５と折曲端部７４の境界線は湾曲した縫製線となっている。したがって、折曲端部７４を基部７５の面に対して直角に立設した場合には、両者の形状が維持されやすくなっている。
【００３４】
本実施の形態のベビーキャリアは、次のように使用できる。
まず、横抱きについて説明する。
横抱き用補助具７０を本体部１０に取付保持部材７７ａ，７７ｂを肩掛け部４１ａ，４１ｂに取り付け、金属スナップボタン７４ａ，７４ｂを腰ベルト部２０の金属スナップボタン２８ａ，２８ｂに取り付けて両者を一体化する。横抱き用補助具７０の基部７５で乳幼児Ｍの身体の多く、頭部及び背部及び臀部を受ける。また、乳幼児Ｍは、本体部１０の乳幼児保持用の固定ベルト１２ａ,１２ｂにより、その先端の幼児用連結具としての連結差込具１３ａと連結受具１３ｂが接続され乳幼児Ｍの重心位置を保持する。この状態で基部７５の下側に位置し、基部７５に対して直角な位置状態となる折曲端部７４は、乳幼児Ｍの足部を保護することになる。
腰ベルト部２０の格納部３０には、腰ベルト部２０の使用者Ｍの腰回り方向の端部に配設された連結差込具２１及び連結受具２２の腰ベルト連結具及び所定長のベルト２３が格納され、肩ベルト連結具の一部である連結受具２４ａ，２４ｂを取り出す。
【００３５】
一対の肩ベルト部４０の肩掛け部４１ａ，４１ｂに一体化されている延長ベルト部４２ａ，４２ｂをその端部付近に配設した肩ベルト連結具としての連結差込具４３ａ，４３ｂを腰ベルト部２０の連結受具２４ａ，２４ｂに接続する。
肩ベルト連結具としての連結差込具４３ａ，４３ｂと連結受具２４ａ，２４ｂとの接続は、連結差込具４３ａと連結受具２４ａ及び連結差込具４３ｂと連結受具２４ｂとの接続とすることができる。また、連結差込具４３ａ，４３ｂと連結受具４５ａ，４５ｂとの接続は、連結差込具４３ａと連結受具２４ｂ及び連結差込具４３ｂと連結受具２４ａとの接続とすることができる。前者の場合には、一対の肩ベルト部４０は平行に配置されるが、後者の場合はクロスさせて首または肩にかけ横抱きすることができる。
【００３６】
縦抱きするときには、本体部１０に重ね合わせて取り付けられている横抱き用補助具７０を外し、本体部１０に乳幼児Ｍの身体の腹側または背側が直接的にあてがわれるように寝かせる。一対の肩ベルト部４０の肩掛け部４１ａ，４１ｂに一体化されている延長ベルト部４２ａ，４２ｂをその端部付近に配設した一方の肩ベルト連結具としての連結差込具４３ａ，４３ｂと共に、環状支持部６０としての山高Ｄカン６１ａ，６１ｂに通し、そこでＵターンさせて、連結差込具４３ａ，４３ｂを肩ベルト部４０の肩掛け部４１ａ，４１ｂの先端に配設されている他方の肩ベルト連結具としての連結受具４５ａ，４５ｂに接続される。そして、補助ベルト５０の連結差込具５２ａと連結受具５２ｂを係合状態とし、一対の肩ベルト部４０の間隔が固定され、これにより、肩掛け部４１ａと肩掛け部４１ｂとの間が所定の距離を保つことができる。
【００３７】
また、乳幼児Ｍは、本体部１０の乳幼児保持用の固定ベルト１２ａ,１２ｂにより、その先端の幼児用連結具としての連結差込具１３ａと連結受具１３ｂが接続され乳幼児Ｍの重心位置を保持する。格納部３０には、連結受具２４ａ，２４ｂを格納する。
そして、本体部１０の下部と一体化した腰ベルト部２０を使用者Ｍの腰回りに腰ベルト連結具としての連結差込具２１と連結受具２２を用いて接続し、使用者Ｍの腰回りに取り付ける。そして、一対の肩ベルト部４０に手を通して乳幼児Ｍを縦抱きする。更に、補助ベルト５０の連結差込具５２ａと連結受具５２ｂを係合状態とし、一対の肩ベルト部４０の間隔を固定し、これにより、使用状態で肩掛け部４１ａと肩掛け部４１ｂが肩から外れるという事態が発生しないようにする。
【００３８】
本実施の形態のベビーキャリアは、腰ベルト部２０の縦抱き状態の最下端付近の２カ所に配設した肩ベルト連結具としての連結受具２４ａ，２４ｂは、一対の肩ベルト部４０の連結差込具４３ａ，４３ｂを入れ替えれば、肩ベルトがクロスになったり、平行になったりする。したがって、一対の肩ベルト部４０の長さを個別に調整でき、使用者Ｍに合った長さの使い方が容易に設定できる。
【００３９】
また、横抱き用補助具７０の下端の折曲端部７４を折曲自在とし、しかも、腰ベルト部２０の本体部１０側の反対側の最下端付近の２カ所に配設した肩ベルト連結具としての連結受具２４ａ，２４ｂは、肩ベルト連結具としての連結差込具４３ａ，４３ｂが一対の肩ベルト部４０によって上に引き上げられ、内部に配設された横抱き用補助具７０の下端が折曲自在となっているから、同時に横抱き用補助具７０の下端が腰ベルト部２０と同様、上方向に引き上げられるから、それが乳幼児Ｍの足の保護となる。
したがって、乳幼児Ｍの足が横抱きしていてもベビーキャリアから露出することがなく、足を保護できる。よって、首がすわっていない乳幼児Ｍを対象としたベビーキャリアの横抱きの体形と、首がすわってからの乳幼児Ｍを対象としたベビーキャリアの縦抱きの体形共に、当該ベビーキャリアの使用者Ｍに過大な負担が加わることなく、かつ、乳幼児Ｍ側の体形にも負担が少なく、横抱きの際には乳幼児Ｍの足を保護できる。
【００４０】
［実施の形態２］
特に、図８を用いて、実施の形態１と実施の形態２との相違を中心に簡単に説明する。
腰ベルト連結具としての連結差込具２１と連結受具２２は、一対のバックルから構成されているが、本発明を実施する場合には、ナスカン、カラビナ、スプリングホック、Ｄロック、クイックキャッチ、楕円リング等の連結具が使用可能である。腰ベルト連結具としての連結差込具２１と連結受具２２は、必要ベルト長が決められるように、一方または両方に所定長のベルト２３を配設し、腰ベルト部２０の長さを決定している。この点は実施の形態１と基本的に相違していない。
【００４１】
腰ベルト部２０の本体部１０側の反対側の最下端付近の１カ所には位置決め用の調整ベルト２７を介して連結具としての山高Ｄカン２８が配設されている。調整ベルト２７は腰ベルト部２０の面に縫製された連結ベルト２６ａ，２６ｂによって、本体部１０の一部に接続され、腰ベルト部２０の厚みの下部で一体となっている。つまり、本体部１０と連結ベルト２６ａ，２６ｂで三角形を形成し、その交点に調整ベルト２７を縫製している。この縫製によって、本体部１０及び腰ベルト部２０及び調整ベルト２７との機械的強度を上げている。即ち、腰ベルト部２０の厚みの下端より調整ベルト２７が突出している。
【００４２】
よって、調整ベルト２７の腰ベルト部２０の厚みの下端から突出している部分が自由端となっている。なお、図８の図示では、連結ベルト２６ａ，２６ｂが腰ベルト部２０の厚みの範囲内にしているが、腰ベルト部２０の厚みの範囲外としてもよい。しかし、連結ベルト２６ａ，２６ｂが腰ベルト部２０の厚みの範囲内で、腰ベルト部２０の厚みの２／３以下であれば、横抱き用補助具７０の折曲端部７４に隠れ横抱きの際の、ベビーキャリアの外観上の見栄えを良くすることができる。
【００４３】
連結ベルト２６ａ，２６ｂと腰ベルト部２０との位置関係は、連結ベルト２６ａ，２６ｂの取付けが腰ベルト部２０の厚みの範囲内となっている。この腰ベルト部２０の厚みの範囲内への取付けは、連結ベルト２６ａ，２６ｂ及び調整ベルト２７及び山高Ｄカン２８に対して本体部１０の平面に対して直角方向の力が加わったとき、腰ベルト部２０も本体部１０の平面に対して直角方向の変位を行うようにしている。
【００４４】
また、腰ベルト部２０の使用者Ｍの腰に取り付けた状態で表側に格納部３０が設けられている。この格納部３０は腰ベルト部２０の本体部１０側の反対側の最下端付近の１カ所に配設した調整ベルト２７及び山高Ｄカン２８が格納自在となっている。
即ち、格納部３０は腰ベルト部２０の長さ方向に開口し、連結具としての連結差込具２１と連結受具２２が途中で折り返して、ほぼ本体部１０の幅を残して格納されるように大きさが設定されている。
【００４５】
そして、格納部３０には、調整ベルト２７及び山高Ｄカン２８も、腰ベルト部２０の最下端付近に設けた開口から収納自在としている。
即ち、格納部３０は、連結具としての連結差込具２１と連結受具２２及び所定長のベルト２３の一部以上を格納すると共に、山高Ｄカン２８及び腰ベルト部２０から突出している少なくとも調整ベルト２７の一部以上の格納を行う。
【００４６】
この実施の形態の調整ベルト２７及び山高Ｄカン２８は横抱きの機能であるから、横抱きについて説明する。
横抱き用補助具７０を本体部１０に取り付け、基部７５で乳幼児Ｍの身体の多く、頭部及び背部及び臀部を受ける。また、基部７５の下側に位置し、基部７５に対して直角な位置状態となる折曲端部７４を有し、乳幼児Ｍの足部を保護するようにする。
腰ベルト部２０の格納部３０には、腰ベルト部２０の使用者Ｍの腰回り方向の端部に配設された連結差込具２１及び連結受具２２の腰ベルト連結具及び所定長のベルト２３が格納され、調整ベルト２７及び山高Ｄカン２８を取り出す。
【００４７】
一対の肩ベルト部４０の肩掛け部４１ａ，４１ｂに一体化されている延長ベルト部４２ａ，４２ｂをその端部付近に配設した連結具としての連結差込具４３ａ，４３ｂと共に、調整ベルト２７の端部に配設された山高Ｄカン２８を通し、連結差込具４３ａ，４３ｂをベルト６２ａ，６２ｂによって本体部１０に堅固に取り付けられている環状支持部６０としての山高Ｄカン６１ａ，６１ｂに通し、そこでＵターンさせて、連結差込具４３ａ，４３ｂを肩ベルト部４０の肩掛け部４１ａ，４１ｂの先端に配設されている接続ベルト４４ａ，４４ｂの端部の肩ベルト連結具としての連結受具４５ａ，４５ｂに接続する。
【００４８】
肩ベルト連結具としての連結差込具４３ａ，４３ｂと連結受具４５ａ，４５ｂとの接続は、連結差込具４３ａと連結受具４５ａ及び連結差込具４３ｂと連結受具４５ｂとの接続とすることができる。
この場合には、一対の肩ベルト部４０は並行に配置されるが、首または肩にかける場合においては、乳幼児Ｍの上部でクロスさせて横抱きすることもできる。例えば、連結差込具４３ａ，４３ｂと連結受具４５ａ，４５ｂとの接続は、連結差込具４３ａと連結受具４５ｂ及び連結差込具４３ｂと連結受具４５ａとの接続とすることができる。
【００４９】
上記実施の形態１のベビーキャリアは、乳幼児Ｍの身体の腹側が直接的または背側が直接的、間接的にあてがわれる本体部１０と、本体部１０の下部と略逆Ｔ字状に一体化し、その長さ方向の端部に配設した連結差込具２１と連結受具２２からなる腰ベルト連結具によって連結自在とし、使用者Ｍの腰回りに配設する腰ベルト部２０と、腰ベルト部２０の本体部１０側の反対側の最下端付近の２カ所に配設した一方の肩ベルト連結具である連結受具２４ａ，２４ｂと、連結受具２４ａ，２４ｂ並びに使用者Ｍの腰回り方向の端部に配設された連結差込具２１及び連結受具２２からなる腰ベルト連結具の格納部３０と、本体部１０の上部に一端が固着され、使用者Ｍ側の肩または首の背後に回して他端を最下端付近の２カ所に配設した連結受具２４ａ，２４ｂと接続自在な連結差込具４３ａ，４３ｂからなる一対の肩ベルト部４０と、本体部１０に重ね合わせて取り付け、取り外しが自在であり、かつ、乳幼児Ｍの身体の背側があてがわれる内部に剛性の高い硬質ボードを収容し、前記硬質ボードの表面をクッション性に富む材料で覆うと共に、その下端を折曲自在とした横抱き用補助具７０とを具備するものである。
【００５０】
したがって、縦抱きするときには、本体部１０に重ね合わせて取り付けられている横抱き用補助具７０を外し、本体部１０に乳幼児Ｍの身体の腹側または背側が直接的にあてがわれるように寝かせる。一対の肩ベルト部４０の肩掛け部４１ａ，４１ｂに一体化されている延長ベルト部４２ａ，４２ｂをその端部付近に配設した一方の肩ベルト連結具としての連結差込具４３ａ，４３ｂと共に、環状支持部６０としての山高Ｄカン６１ａ，６１ｂに通し、そこでＵターンさせて、連結差込具４３ａ，４３ｂを肩ベルト部４０の肩掛け部４１ａ，４１ｂの先端に配設されている他方の肩ベルト連結具としての連結受具４５ａ，４５ｂに接続される。この縦抱きの際には調整ベルト２７及び山高Ｄカン２８からなる環状支持部８０が不要であるから、腰ベルト部２０に設けた格納部３０に格納する。また、本体部１０の下部と一体化した腰ベルト部２０を使用者Ｍの腰回りに連結差込具２１及び連結受具２２からなる腰ベルト連結具を用いて連結し、使用者Ｍの腰回りに取り付ける。そして、一対の肩ベルト部４０に手を通して乳幼児Ｍを縦抱きする。更に、補助ベルト５０の連結差込具５２ａと連結受具５２ｂを係合状態とすることにより、使用状態で肩掛け部４１ａと肩掛け部４１ｂとの一方のみまたは両方が肩から外れるという事態が発生しない。
【００５１】
横抱きするときには、本体部１０に横抱き用補助具７０を重ね合わせて取り付け、乳幼児Ｍの身体の背側があてがわれるようにする。また、その下端を折曲自在とし、乳幼児Ｍの足が本体部１０から突出しないように寝かせる。即ち、本体部１０に乳幼児Ｍの身体の背側が間接的にあてがわれるようにする。この横抱きには、使用者Ｍの腰回り方向の端部に配設された連結差込具２１及び連結受具２２からなる腰ベルト連結具は使用しないので腰ベルト部２０に設けた格納部３０に格納する。
【００５２】
そして、腰ベルト部２０の最下端付近に配設した調整ベルト２７及び山高Ｄカン２８からなる環状支持部８０に、一対の肩ベルト部４０の使用者Ｍ側の肩または首の背後に回して他端を最下端付近の２カ所に配設した連結差込具４３ａ，４３ｂからなる一方の肩ベルト連結具を通し、そこでＵターンさせて、一方の肩ベルト連結具である連結差込具４３ａ，４３ｂを肩ベルト部４０の肩掛け部４１ａ，４１ｂの先端に配設されている他方の肩ベルト連結具としての連結受具４５ａ，４５ｂに接続する。この状態で、一対の肩ベルト部２０に手を通して乳幼児Ｍを横抱きできる。
なお、本体部１０側の反対側の最下端付近の２カ所に配設した連結差込具４３ａ，４３ｂからなる肩ベルト連結具は、調整ベルト２７及び山高Ｄカン２８からなる環状支持部８０を通過後に、一対の肩ベルト部４０の端部の連結差込具４３ａを連結受具４５ｂに接続し、また、連結差込具４３ｂを連結受具４５ａに接続すれば、一対の肩ベルト部４０の延長ベルト部４２ａ，４２ｂがクロスさせることもできる。
【００５３】
このようにすることにより、横抱き用補助具７０の下端の折曲端部７４を折曲自在とし、しかも、腰ベルト部２０の本体部１０側の縦抱きの際の最下端付近の調整ベルト２７及び山高Ｄカン２８からなる環状支持部８０は、本体部１０側の最下端付近の環状支持部８０が一対の肩ベルト部４０によって上に引き上げられ、内部に配設された横抱き用補助具７０の下端の折曲端部７４が折曲自在となっているから、同時に横抱き用補助具７０の下端の折曲端部７４が腰ベルト部２０と同様、上方向に引き上げられるから、それが乳幼児Ｍの足の保護となる。
【００５４】
したがって、乳幼児Ｍの足が横抱きしていてもベビーキャリアから露出することがない。よって、首がすわっていない乳幼児Ｍを対象としたベビーキャリアの横抱きの体形と、首がすわってからの乳幼児Ｍを対象としたベビーキャリアの縦抱きの体形共に、当該ベビーキャリアの使用者Ｍに過大な負担が加わることなく、かつ、乳幼児Ｍ側の体形にも負担が少なく、横抱きの際には乳幼児Ｍの足を保護できる。
【００５５】
上記実施の形態２のベビーキャリアは、乳幼児Ｍの身体の腹側が直接的または背側が直接的、間接的にあてがわれる本体部１０と、本体部１０の下部と略逆Ｔ字状に一体化し、その長さ方向の端部に配設した連結差込具２１と連結受具２２からなる腰ベルト連結具によって連結自在とし、使用者Ｍの腰回りに配設する腰ベルト部２０と、腰ベルト部２０の最下端付近に配設した調整ベルト２７及び山高Ｄカン２８からなる環状支持部８０と、腰ベルト部２０に形成した環状支持部８０並びに使用者Ｍの腰回り方向の端部に配設された連結差込具２１及び連結受具２２からなる腰ベルト連結具を格納する格納部３０と、本体部１０の上部に一端が固着され、使用者Ｍ側の肩または首の背後に回して他端を最下端付近に配設した調整ベルト２７及び山高Ｄカン２８からなる環状支持部８０を通して、その端部が連結受具４５ａ，４５ｂと連結差込具４３ａ，４３ｂと接続自在な肩ベルト連結具を有する一対の肩ベルト部４０と、本体部１０に重ね合わせて取り付け、取り外しが自在であり、かつ、乳幼児Ｍの身体の背側があてがわれる内部に剛性の高い芯材を収容し、前記芯材の表面をクッション性に富む材料で覆うと共に、その下端を折曲自在とした横抱き用補助具７０とを具備するものである。
【００５６】
したがって、上記実施の形態２のベビーキャリアは、縦抱きするとき、本体部１０に重ね合わせて取り付けられている横抱き用補助具７０を外し、本体部１０に乳幼児Ｍの身体の腹側または背側が直接的にあてがわれるように寝かせる。一対の肩ベルト部４０の使用者Ｍ側の肩または首の背後に回して他端を最下端付近の２カ所に配設した連結差込具４３ａ，４３ｂ及び連結受具４５ａ，４５ｂからなる肩ベルト連結具を接続する。また、本体部１０の下部と一体化した腰ベルト部２０を使用者Ｍの腰回りに腰ベルト連結具としての連結差込具２１及び連結受具２２を用いて連結し、使用者Ｍの腰回りに取り付ける。そして、一対の肩ベルト部４０に手を通して乳幼児Ｍを縦抱きする。これ以前に、連結差込具２１及び連結受具２２からなる腰ベルト連結具の格納部３０に腰ベルト部２０の最下端付近に配設した調整ベルト２７及び山高Ｄカン２８からなる環状支持部８０を格納しておく。
【００５７】
横抱きするときには、本体部に横抱き用補助具７０を重ね合わせて取り付け、乳幼児Ｍの身体の背側があてがわれるようにする。また、その下端を折曲自在とし、乳幼児Ｍの足が本体部１０から突出しないように寝かせる。即ち、本体部１０に乳幼児Ｍの身体の背側が間接的にあてがわれるようにする。この横抱きには、腰ベルト部２０に設けた格納部３０に、使用者Ｍの腰回り方向の端部に配設された連結差込具２１及び連結受具２２からなる腰ベルト連結具を使用しないので格納する。
【００５８】
そして、本体部１０側の反対側の最下端付近に配設した調整ベルト２７及び山高Ｄカン２８からなる環状支持部８０と、一対の肩ベルト部４０の使用者Ｍ側の肩または首の背後に回すべく他端を最下端付近の環状支持部８０を通して、一対の肩ベルト部４０に折り返して接続する。この状態で、一対の肩ベルト部４０に手を通して乳幼児Ｍを横抱きにできる。
なお、本体部１０側の反対側の最下端付近の環状支持部８０は、一対の肩ベルト部４０の端部を入れ替えれば、肩ベルトがクロスになったり、並行になったりし、肩ベルト部４０の長さの調節によりバランス調整を行うことができる。
【００５９】
このようにすることにより、横抱き用補助具７０の下端を折曲自在とし、しかも、腰ベルト部２０の本体部１０側の反対側の最下端付近に配設した調整ベルト２７及び山高Ｄカン２８からなる環状支持部８０は、本体部１０側の最下端付近に配設した環状支持部８０が一対の肩ベルト部４０によって上に引き上げられ、内部に配設された横抱き用補助具７０の下端の折曲端部７４が折曲自在となっているから、同時に横抱き用補助具７０の下端の折曲端部７４が腰ベルト部２０と同様、環状支持部８０が上方向に引き上げられるから、それが乳幼児Ｍの足の保護となる。
【００６０】
したがって、乳幼児Ｍの足が横抱きしていてもベビーキャリアから露出することがない。よって、首がすわっていない乳幼児Ｍを対象としたベビーキャリアの横抱きの体形と、首がすわってからの乳幼児Ｍを対象としたベビーキャリアの縦抱きの体形共に、当該ベビーキャリアの使用者Ｍに過大な負担が加わることなく、かつ、乳幼児Ｍ側の体形にも負担が少なく、横抱きの際には乳幼児Ｍの足を保護できる。
【００６１】
上記実施の形態１及び実施の形態２の本体部１０は、乳幼児Ｍの縦抱きの場合、腹側が直接的、または縦抱きの場合、背側が直接的、及び横抱きの場合、背側が間接的にあてがわれるものである。ここで間接とは、横抱き用補助具７０を用いての意味である。
【００６２】
また、上記実施の形態１及び実施の形態２の腰ベルト部２０は、使用者Ｍの腰回りに配設するもので、本体部１０の下部と略逆Ｔ字状に一体化し、その長さ方向の端部は連結差込具２１及び連結受具２２からなる連結具によって連結自在としている。
なお、腰ベルト連結具としては、連結差込具２１及び連結受具２２に特定されるものではなく、本発明を実施する場合には、肩ベルト連結具、環状支持部６０，８０と共に、ナスカン、カラビナ、Ｄロック、クイックキャッチ、楕円リング等の連結具が使用可能であり、少なくとも対となって機能する連結具であれば使用できる。
【００６３】
そして、上記実施の形態１及び実施の形態２の腰ベルト部２０の本体部１５側の反対側の最下端付近の２カ所に配設した連結差込具２４ａ，２４ｂからなる一方の肩ベルト連結具は、連結自在な手段であればよい。
更に、上記一対の肩ベルト部４０は、本体部１０の上部に一端が固着され、使用者Ｍ側の肩または首の背後に回して他端を最下端付近の２カ所に配設した連結差込具４３ａ，４３ｂと連結受具４５ａ，４５ｂからなる肩ベルト連結具が互いに接続自在なものである。
【００６４】
更にまた、上記実施の形態１及び実施の形態２の横抱き用補助具７０は、本体部１０に重ね合わせて取り付け、取り外しが自在であり、かつ、乳幼児Ｍの身体の背側があてがわれる内部に剛性の高い芯材としての硬質ボードを収容し、前記芯材の表面をクッション性に富む材料で覆う基部７５に対して折曲端部７４を折曲自在としたものである。
【００６５】
そして、上記実施の形態１及び実施の形態２の環状支持部６０，８０は、前記腰ベルト部２０の最下端付近に配設し、Ｕターンして腰ベルト部２０の縦抱き状態の最下端付近から上方向に折り返しができるものであればよい。特に、上記実施の形態１及び２の環状支持部６０，８０は、実施の形態においては、力の方向を変えるものであるが、取付け状態では力の支点となるものであるから、ベルトで環状に形成した帯のように支点に使用できるものの他、ナスカン、カラビナ、Ｄロック、クイックキャッチ、楕円リング等の連結具は勿論のこと、連結差込具と連結受具の対に置き換えることも可能である。
【００６６】
更に、上記実施の形態１及び実施の形態２の格納部３０は、腰ベルト部２０に形成した腰ベルト部２０の最下端付近に配設した環状支持部８０並びに使用者Ｍの腰回り方向の端部に配設された連結差込具２１及び所定長のベルト２３並びに連結受具２２からなる腰ベルト連結具を格納できるものであればよい。全体が弾性布として、または蓋付または蓋なしの開閉自在なポケット状に形成できる。
【００６７】
更にまた、上記実施の形態１及び実施の形態２の一対の肩ベルト部４０は、本体部１０の上部に一端が固着され、使用者Ｍ側の肩または首の背後に回して他端を最下端付近に配設した環状支持部８０を通して、その端部の連結差込具４３ａ，４３ｂと連結受具４５ａ，４５ｂからなる肩ベルト連結具相互間が接続自在なものである。
加えて、上記実施の形態１及び２の横抱き用補助具７０は、本体部１０に重ね合わせて取り付け、取り外しが自在であり、かつ、乳幼児Ｍの身体の背側があてがわれる内部に剛性の高い硬質ボードを収容し、前記硬質ボードの表面をクッション性に富む材料で覆うと共に、その下端を折曲自在としたものである。
【００６８】
上記実施の形態１及び実施の形態２は、別の実施の形態として説明しているが、上記実施の形態１に調整ベルト２７及び山高Ｄカン２８からなる環状支持部８０を配設することにより、同時に上記実施の形態１及び実施の形態２の機能を持たせることができる。
【符号の説明】
【００６９】
Ｍ    使用者
Ｂ    乳幼児
１０    本体部
２０    腰ベルト部
２１    連結差込具
２２    連結受具
２４ａ，２４ｂ    連結受具
２５ａ，２５ｂ    連結ベルト
３０    格納部
４０    肩ベルト部
４１ａ，４１ｂ    肩掛け部
４２ａ，４２ｂ    延長ベルト部
４３ａ，４３ｂ    連結差込具
５０    補助ベルト
６０    環状支持部
６１ａ，６１ｂ    山高Ｄカン
６２ａ，６２ｂ    ベルト
７０    横抱き用補助具
７４    折曲端部
７５    基部
８０    環状支持部
【図１】
0005871311.tif 000002
【図２】
0005871311.tif 000003
【図３】
0005871311.tif 000004
【図４】
0005871311.tif 000005
【図５】
0005871311.tif 000006
【図６】
0005871311.tif 000007
【図７】
0005871311.tif 000008
【図８】
0005871311.tif 000009
【図９】
0005871311.tif 000010
【図１０】
0005871311.tif 000011